(57)【要約】【課題】文書に含まれる文書要素の種別毎に印刷条件を異ならせて文書の印刷を行うことができるようにする。【解決手段】ユーザは、ＵＩ（User Interface）２３を操作することで、画像データに含まれるコンテンツの種別毎に、印刷パラメータの設定を行う。具体的には、「章」や「パラグラフ」の印刷がなされる際に用いられる印刷パラメータの設定や、「図や「表」の印刷がなされる際に用いられる印刷パラメータの設定を行う。この場合、例えば、あまり重要でない「章」や「パラグラフ」を、モノクロ、且つ、４イン１（４ページ分の画像を１ページに集約）といった態様で印刷できるようになる。また、例えば、「図」や「表」などのついては、カラー、且つ、１ページ全体を使用しての印刷を行うことができるようになる。【選択図】図４
2014075054.tif 000002
【特許請求の範囲】
【請求項１】
印刷対象の文書の文書データを取得する取得手段と、
前記文書に含まれる文書要素の種別毎にユーザにより設定される印刷条件を受け付ける受け付け手段と、
前記受け付け手段による前記印刷条件の受け付けに応じて、前記取得手段により取得された文書データに対し、前記文書要素の種別単位で印刷設定を行う設定手段と、
前記設定手段による印刷設定がなされた前記文書データに基づく印刷を印刷機構に指示する指示手段と、
を備える印刷指示装置。
【請求項２】
前記受け付け手段は、前記文書に含まれる複数の文書要素の個々の文書要素毎に個別にユーザにより設定される印刷条件を受け付けることが可能であり、
前記設定手段は、前記取得手段により取得された文書データに対する印刷設定を行うに際し、前記文書要素の種別単位で当該印刷設定を行うとともに、ユーザによって印刷条件が個別に設定された文書要素については文書要素単位で当該印刷設定を行うことを特徴とする請求項１記載の印刷指示装置。
【請求項３】
前記文書データに基づく印刷が前記印刷機構によって開始される前に、当該文書データに基づく画像であって前記文書要素の種別単位での前記印刷設定が反映された画像を表示する表示手段を更に備えることを特徴とする請求項１記載の印刷指示装置。
【請求項４】
前記文書データに基づく印刷が前記印刷機構によって開始される前に、当該文書データに基づく画像であって、前記文書要素の種別単位での前記印刷設定が反映され且つ前記文書要素単位での前記印刷設定が反映された画像を表示する表示手段を更に備えることを特徴とする請求項２記載の印刷指示装置。
【請求項５】
文書要素の種別毎のユーザによる印刷条件の設定の方が、文書要素毎のユーザによる印刷条件の設定よりも先に行われ、
文書要素毎のユーザによる印刷条件の前記設定によって、文書要素の種別毎に設定された前記印刷条件の一部が変更された場合に、当該変更についての情報をユーザに通知する通知手段を更に備えることを特徴とする請求項２記載の印刷指示装置。
【請求項６】
印刷対象の文書の文書データを取得する取得手段と、
前記文書に含まれる文書要素の種別毎にユーザにより設定される印刷条件を受け付ける受け付け手段と、
前記受け付け手段による前記印刷条件の受け付けに応じて、前記取得手段により取得された文書データに対し、前記文書要素の種別単位で印刷設定を行う設定手段と、
前記設定手段による印刷設定がなされた前記文書データに基づき、記録材に対する印刷を行う印刷機構と、
を備える印刷装置。
【請求項７】
印刷対象の文書に含まれる文書要素の種別毎にユーザにより設定される印刷条件を把握する把握機能と、
前記把握機能による前記印刷条件の把握に応じて、前記文書の文書データに対し、前記文書要素の種別単位で印刷設定を行う設定機能と、
前記設定機能により印刷設定がなされた前記文書データに基づく印刷を印刷機構に指示する指示機能と、
をコンピュータに実現させるためのプログラム。
【発明の詳細な説明】
【技術分野】
【０００１】
本発明は、印刷指示装置、印刷装置、および、プログラムに関する。
【背景技術】
【０００２】
特許文献１には、ページ単位で異なる出力条件を含む出力指示が可能な出力指示手段と、出力指示に従ってプリントデータにページ単位で画像処理を施し画像処理済みプリントデータを生成する画像処理手段と、を有する画像記録装置が開示されている。
特許文献２には、連続する複数ページの印刷対象データのうち任意の連続するページを指定する指定手段と、この指定手段で指定された連続するページの印刷対象データを１枚の用紙に印刷させると共に指定されなかったページの印刷対象データそれぞれをそれぞれ１枚の用紙に印刷させる印刷制御手段と、を具備する印刷制御装置が開示されている。
【先行技術文献】
【特許文献】
【０００３】
【特許文献１】特開２００３−２８０８７１号公報
【特許文献２】特開２００５−０２５５１２号公報
【発明の概要】
【発明が解決しようとする課題】
【０００４】
本発明の目的は、文書に含まれる文書要素の種別毎に印刷条件を異ならせて文書の印刷を行うことができるようにすることにある。
【課題を解決するための手段】
【０００５】
請求項１に記載の発明は、印刷対象の文書の文書データを取得する取得手段と、前記文書に含まれる文書要素の種別毎にユーザにより設定される印刷条件を受け付ける受け付け手段と、前記受け付け手段による前記印刷条件の受け付けに応じて、前記取得手段により取得された文書データに対し、前記文書要素の種別単位で印刷設定を行う設定手段と、前記設定手段による印刷設定がなされた前記文書データに基づく印刷を印刷機構に指示する指示手段と、を備える印刷指示装置である。
請求項２に記載の発明は、前記受け付け手段は、前記文書に含まれる複数の文書要素の個々の文書要素毎に個別にユーザにより設定される印刷条件を受け付けることが可能であり、前記設定手段は、前記取得手段により取得された文書データに対する印刷設定を行うに際し、前記文書要素の種別単位で当該印刷設定を行うとともに、ユーザによって印刷条件が個別に設定された文書要素については文書要素単位で当該印刷設定を行うことを特徴とする請求項１記載の印刷指示装置である。
請求項３に記載の発明は、前記文書データに基づく印刷が前記印刷機構によって開始される前に、当該文書データに基づく画像であって前記文書要素の種別単位での前記印刷設定が反映された画像を表示する表示手段を更に備えることを特徴とする請求項１記載の印刷指示装置である。
請求項４に記載の発明は、前記文書データに基づく印刷が前記印刷機構によって開始される前に、当該文書データに基づく画像であって、前記文書要素の種別単位での前記印刷設定が反映され且つ前記文書要素単位での前記印刷設定が反映された画像を表示する表示手段を更に備えることを特徴とする請求項２記載の印刷指示装置である。
請求項５に記載の発明は、文書要素の種別毎のユーザによる印刷条件の設定の方が、文書要素毎のユーザによる印刷条件の設定よりも先に行われ、文書要素毎のユーザによる印刷条件の前記設定によって、文書要素の種別毎に設定された前記印刷条件の一部が変更された場合に、当該変更についての情報をユーザに通知する通知手段を更に備えることを特徴とする請求項２記載の印刷指示装置である。
請求項６に記載の発明は、印刷対象の文書の文書データを取得する取得手段と、前記文書に含まれる文書要素の種別毎にユーザにより設定される印刷条件を受け付ける受け付け手段と、前記受け付け手段による前記印刷条件の受け付けに応じて、前記取得手段により取得された文書データに対し、前記文書要素の種別単位で印刷設定を行う設定手段と、前記設定手段による印刷設定がなされた前記文書データに基づき、記録材に対する印刷を行う印刷機構と、を備える印刷装置である。
請求項７に記載の発明は、印刷対象の文書に含まれる文書要素の種別毎にユーザにより設定される印刷条件を把握する把握機能と、前記把握機能による前記印刷条件の把握に応じて、前記文書の文書データに対し、前記文書要素の種別単位で印刷設定を行う設定機能と、前記設定機能により印刷設定がなされた前記文書データに基づく印刷を印刷機構に指示する指示機能と、をコンピュータに実現させるためのプログラムである。
【発明の効果】
【０００６】
請求項１の発明によれば、文書に含まれる文書要素の種別毎に印刷条件を異ならせて文書の印刷を行うことができるようになる。
請求項２の発明によれば、文書に含まれる複数の文書要素の個々の文書要素毎に印刷条件を異ならせて文書の印刷を行うことができるようになる。
請求項３の発明によれば、文書に含まれる文書要素の種別毎に印刷条件を異ならせる場合の文書の状態を、印刷前に確認することができるようになる。
請求項４の発明によれば、文書に含まれる文書要素の種別毎に印刷条件を異ならせ且つ個々の文書要素毎に印刷条件を異ならせる場合の文書の状態を、印刷前に確認することができるようになる。
請求項５の発明によれば、文書要素の種別毎に設定された印刷条件のうちの、文書要素毎の印刷条件の設定により変更された印刷条件を明確化することが可能になる。
請求項６の発明によれば、文書に含まれる文書要素の種別毎に印刷条件を異ならせて文書の印刷を行うことができるようになる。
請求項７の発明によれば、文書に含まれる文書要素の種別毎に印刷条件を異ならせて文書の印刷を行うことができるようになる。
【図面の簡単な説明】
【０００７】
【図１】本実施形態の画像形成システムの構成例を示す図である。
【図２】画像形成装置の機能構成を示した図である。
【図３】画像形成装置にて実行される処理の流れを示したフローチャートである。
【図４】ステップ１０１の処理がなされる際のＵＩの表示例を示した図である。
【図５】ステップ１０２にて行われるプレビュー表示における表示画面の一例を示した図である。
【図６】個々のコンテンツ毎に印刷パラメータがユーザにより設定される際にＵＩに表示される表示画面の一例を示した図である。
【図７】プレビュー表示における表示例を示した図である。
【発明を実施するための形態】
【０００８】
以下、添付図面を参照して、本発明の実施形態について詳細に説明する。
図１は、本実施形態の画像形成システムの構成例を示す図である。
図１に示すように、本実施形態の画像形成システムには、ＰＣ（Personal Computer）により構成された端末装置１０と、端末装置１０から送信されてきた画像データや画像読み取り装置（後述）により取得された画像データに基づき用紙への画像形成（印刷）を行う画像形成装置２０とが設けられている。ここで、端末装置１０と画像形成装置２０とは、通信回線３０を介して接続されている。なお、この通信回線３０には、有線通信回線、無線通信回線の何れを用いてもよい。
【０００９】
印刷装置の一例としての画像形成装置２０には、装置本体２１が設けられている。この装置本体２１の内部には、記録材の一例としての用紙を収容する用紙収容部（不図示）、用紙収容部から供給された用紙に対して画像を形成する画像形成部（不図示）が設けられている。また、画像形成装置２０には、ユーザによりセットされた原稿上の画像を読み取る画像読み取り装置（スキャナ装置）２２が設けられている。さらに、画像形成装置２０には、ユーザに対し情報を表示するとともにユーザからの指示を受け付けるＵＩ（User Interface）２３が設けられている。
【００１０】
なお、装置本体２１内に設けられた上記画像形成部は、例えば、感光体ドラム、この感光体ドラムを帯電する帯電器、感光体ドラムにレーザ光を照射し静電潜像を形成するレーザ露光器、感光体ドラムに形成された上記静電潜像をトナーを用いて現像する現像装置、感光体ドラム上に形成されたトナー像を用紙に対し転写する転写装置とから構成される。なお、本実施形態では、電子写真方式によって画像を形成する場合を例示したが、インクジェット方式などによって画像を形成するようにしてもよい。
【００１１】
図２は、画像形成装置２０の機能構成を示した図である。
画像形成装置２０には、上記にて説明した構成に加え、画像形成装置２０の主たる制御を行うとともに印刷指示装置の一部として機能するＣＰＵが設けられている。また、プログラムや予め定められた固定データの格納を行うＲＯＭが設けられている。ここで、このＲＯＭについては、フラッシュメモリを用い書き換え可能な構成としてもよい。また、画像形成装置２０には、プログラム動作時にシステムメモリとして機能したり画像処理の際にページメモリとして機能したりするＲＡＭが設けられている。
【００１２】
さらに、画像形成装置２０には、画質調整に用いられるパラメータや、履歴データなどの格納を行うＮＶＲＡＭが設けられている。なお、本実施形態では、ＣＰＵやＲＯＭなどの各機能部は、バスを介して互いに接続されている。また、本実施形態では、画像データや履歴データなどの格納を行うＨＤＤが設けられている。さらに、画像データの伸張圧縮処理など、画像データに対する処理を行う画像処理部２４が設けられている。また、ＵＩ２３とバスとを接続するＵＩインタフェース（ＩＦ）２５が設けられている。
【００１３】
なお、上記では説明を省略したが、ＵＩ２３には、スタートキー、ストップキー、テンキーなどのハードキーにより構成され、ユーザにより操作される操作部２３１が設けられている。また、ＵＩ２３には、液晶モニタなどにより構成され情報の表示を行う表示部２３２が設けられている。なお、表示部２３２がタッチパネル方式のモニタにより構成される場合、このモニタは、操作部２３１としての役割も果たす。
【００１４】
また、画像形成装置２０には、印刷時（画像形成時）に用いる各種パラメータの設定や管理などを行う印刷パラメータ制御部２６が設けられている。さらに、印刷処理に供される画像データに基づく画像を、この印刷処理が実行される前に、ＵＩ２３上に表示するプレビュー表示制御部２７が設けられている。さらに、印刷処理に供される画像データの中に含まれる各種コンテンツの識別や管理などを行うコンテンツ識別制御部２８が設けられている。また、本実施形態では、画像読み取り装置２２や画像形成部とバスとを接続する装置インタフェース２９が設けられている。
【００１５】
次に、本実施形態にて実行される処理の流れを説明する。
図３は、画像形成装置２０にて実行される処理の流れを示したフローチャートである。なお、ここでは、画像読み取り装置２２による読み取り結果に基づき、用紙への画像形成が行われる際の処理の流れを一例に説明する。付言すると、ユーザによりセットされた原稿が画像読み取り装置２２により読み取られ、この原稿の読み取り結果に基づき、用紙への画像形成が行われる際の処理の流れを説明する。
【００１６】
この処理では、まず、画像読み取り装置２２が動作し、取得手段として機能するこの画像読み取り装置２２により原稿についての画像データ（文書データ）が取得される。なお、この画像データはＲＡＭに一時的に格納される。
次いで、印刷処理が実行される前に、印刷パラメータ制御部２６が、ＵＩ２３に設けられた表示部２３２上に、印刷パラメータ（印刷条件）をユーザから受け付けるための受け付け画面を表示する。次いで、この受け付け画面がユーザにより操作され、印刷パラメータの設定がユーザによりなされる（ステップ１０１）。
【００１７】
ここで、本実施形態では、複数の印刷パラメータが予め用意されており、ユーザは、受け付け手段の一部として機能するＵＩ２３を操作することで、画像データ（画像読み取り装置２２により得られた原稿の画像データ：以下、「原稿画像データ」と称する）に含まれるコンテンツの種別毎に、印刷パラメータの設定を行うことができるようになっている。
【００１８】
具体的には、「章」や「パラグラフ」の印刷がなされる際に用いられる印刷パラメータの設定、「図」や「表」の印刷がなされる際に用いられる印刷パラメータの設定、「イメージ」や「写真」の印刷がなされる際に用いられる印刷パラメータの設定、「付箋」が付された画像のうちのこの付箋の部分の印刷がなされる際に用いられる印刷パラメータの設定、「マーカー」による着色がなされた画像のうちのこのマーカー部分の印刷がなされる際に用いられる印刷パラメータの設定を行うことができるようになっている。
【００１９】
このような設定を行うことができる結果、本実施形態では、例えば、あまり重要でない「章」や「パラグラフ」を、モノクロ、且つ、４イン１（４ページ分の画像を１ページに集約）といった態様で印刷できるようになる。また、例えば、「図」や「表」などについては、カラー、且つ、１ページ全体を使用しての印刷を行うことができるようになる。即ち、本実施形態では、重要度や見やすさが考慮されたうえでの印刷がなされるようになる。
【００２０】
その後、本実施形態では、コンテンツ識別制御部２８が、ＲＡＭに格納されている原稿画像データを解析し、原稿画像データに含まれるコンテンツを把握する。付言すると、コンテンツ識別制御部２８は、テキストとイメージとを分離する既存技術や、イメージマッチングについての既存技術や、ＯＣＲ（Optical Character Recognition）による文字認識などを用い、原稿画像データに含まれるコンテンツを把握する。
【００２１】
次いで、表示手段の一部として機能するプレビュー表示制御部２７が、ＵＩ２３における表示部２３２上に、原稿画像データに基づく画像を表示する（ステップ１０２）。付言すると、プレビュー表示制御部２７が、ＵＩ２３における表示部２３２上に、いわゆるプレビュー表示を行う。ここで、プレビュー表示制御部２７は、プレビュー表示を行う際、上記ステップ１０１にてユーザにより設定された印刷パラメータを反映したうえでこのプレビュー表示を行う。
【００２２】
詳細に説明すると、プレビュー表示制御部２７は、プレビュー表示を行う際、まず、コンテンツ識別制御部２８による把握結果を取得し、原稿画像データに含まれるコンテンツを把握する。
【００２３】
そして、プレビュー表示制御部２７は、ＵＩ２３上への原稿画像データの表示を行う際、コンテンツの種別毎にユーザにより設定された上記印刷パラメータを、各々のコンテンツを表示する際に反映する。付言すると、プレビュー表示制御部２７は、ＵＩ２３上への原稿画像データの表示を行う際、コンテンツの種別毎にユーザにより設定された上記印刷パラメータを把握するとともに、ＵＩ２３への原稿画像データの表示を行う際、この表示に対して把握した印刷パラメータを反映する。
【００２４】
次いで、本実施形態では、印刷パラメータ制御部２６が、ＵＩ２３上に、予め定められた問い合わせ画面を表示し、印刷パラメータの変更（再設定）を行うか否かの問い合わせをユーザに対して行う（ステップ１０３）。ここで、印刷パラメータの変更を行う、との回答がユーザからあった場合は、ステップ１０１、ステップ１０２の処理が再度実行される。これにより、変更（再設定）が行われた印刷パラメータが反映された状態の画像がＵＩ２３に再び表示されるようになる。ここで、本実施形態では、ステップ１０１〜ステップ１０３の処理を繰り返すことで、印刷パラメータの変更を何度でも行うことができるようになっている。
【００２５】
一方、ステップ１０３にて行われた問い合わせに対し、印刷パラメータの変更（コンテンツの種別毎に一括で行う印刷パラメータの変更）を行わないとの回答がユーザからあった場合は、印刷パラメータ制御部２６が、個々のコンテンツ毎に印刷パラメータの変更を行うか否かの問い合わせをユーザに対して行う（ステップ１０４）。
【００２６】
そして、個々のコンテンツ毎に印刷パラメータの変更を行う、との回答がＵＩ２３を通じてユーザからあった場合、印刷パラメータ制御部２６は、ＵＩ２３を介し、印刷パラメータの変更を希望するコンテンツの指定をユーザから受け付けるとともに、指定されたコンテンツに適用する印刷パラメータをユーザから受け付ける（ステップ１０５）。これにより、本実施形態では、例えば、第Ｎ章はモノクロ且つ４イン１、第Ｍパラグラフはカラー且つ２イン１、第Ｌ図はカラー且つ１ページ全体など、より細やかな設定がユーザによりなされるようになる。
【００２７】
なお、ステップ１０４の問い合わせ（個々のコンテンツ毎に印刷パラメータの変更を行うか否かの問い合わせ）に対し、印刷パラメータの変更を行わないとの回答がユーザからあった場合は、ステップ１０５の処理に進まずにステップ１０６の処理に進む。
次いで、本実施形態では、プレビュー表示制御部２７が、ＵＩ２３の表示部２３２上に、予め定められた問い合わせ画面を表示し、プレビュー表示を再度行うか否かの問い合わせを行う（ステップ１０６）。
【００２８】
そして、ＵＩ２３を通じ、プレビュー表示を行うとの回答がユーザからあった場合、ステップ１０２以降の処理が再度実行される。なお、コンテンツ毎に個別に印刷パラメータの設定が行われたうえで（ステップ１０５の処理が行われたうえで）、ステップ１０２にてプレビュー表示が行われる場合は、ユーザにより種別毎に一括で設定された印刷パラメータ、および、ユーザによりコンテンツ毎に個別に設定された印刷パラメータの両者が反映された状態の画像がＵＩ２３上に表示される。
【００２９】
一方、プレビュー表示を再度行うか否かの問い合わせ（ステップ１０６にて行われた問い合わせ）に対して、プレビュー表示を行うとの回答がユーザから無かった場合は、設定手段として機能する印刷パラメータ制御部２６が、上記にてユーザにより設定された印刷パラメータに基づき、原稿画像データに対する印刷設定を行う。付言すると、印刷パラメータ制御部２６は、上記にてユーザにより設定された印刷パラメータと原稿画像データとの関連付けを行う。
【００３０】
次いで、本実施形態では、指示手段として機能するＣＰＵが、印刷機構として機能する画像形成部（不図示）などの各機能部に対し、上記印刷設定がなされた原稿画像データに基づく印刷（画像形成）の開始を指示する。これにより、印刷設定がなされた原稿画像データが画像形成部に出力され（印刷設定についての情報が付加された原稿画像データが画像形成部に出力され）、画像形成部による画像形成が開始される（ステップ１０７）。この結果、本実施形態では、ユーザにより設定された印刷パラメータ（コンテンツの種別毎に一括で設定された印刷パラメータ、ユーザが個別に設定した印刷パラメータ）が反映されたうえで、用紙への画像形成が行われるようになる。
【００３１】
ここで、印刷パラメータの設定は、ページ単位で行うこともできる。ところで、この場合、細かな設定が難しくなり、ユーザの意図が反映された設定を行うことが難しくなる。また、コンテンツ単位で個別に印刷パラメータの設定を行えるようにすれば、ユーザの意図を反映できるようになるが、この場合、印刷パラメータの設定に時間を要するようになる。
【００３２】
一方で、本実施形態のようにコンテンツの種別単位で印刷パラメータの設定を行うことができる場合は、ページ単位で印刷パラメータの設定を行う場合に比べ、ユーザの意図が反映されるようになる。また、本実施形態のようにコンテンツの種別単位で印刷パラメータの設定を行うことができる場合は、コンテンツ単位で個別に印刷パラメータを設定していく場合に比べ（印刷パラメータの設定の全てをコンテンツ単位で行っていく場合に比べ）、より短い時間で印刷パラメータの設定を終えられるようになる。
【００３３】
次に、上記にて説明した処理を、具体例を用いさらに説明する。
図４は、上記ステップ１０１の処理がなされる際のＵＩ２３の表示例を示した図である。付言すると、コンテンツの種別毎に印刷パラメータの設定がなされる際にＵＩ２３に表示される表示画面を示した図である。
【００３４】
上記ステップ１０１では、図４に示すように、マトリックス状の表がＵＩ２３に表示される。ここで、この表では、まず、縦軸方向に、「コンテンツの種別」に複数含まれる個々の「種別」が表示される。具体的には、「章」、「パラグラフ」、「図」、「表」、「写真」、「挿絵」、「イメージ」、「グラフィックス」、「付箋付きの指定箇所」、「マーカー付きの指定箇所」が表示される。また、本例では、横軸方向に、「印刷パラメータ」に複数含まれる個々の「印刷パラメータ」が表示される。具体的には、「印刷する／しない」、「カラー／モノクロ」、「Ｎイン１（複数ページ分の画像の１ページへの集約）」、「解像度」、「紙質」などが表示される。
【００３５】
そして、本実施形態では、上記マトリクス状の表が表示されたＵＩ２３がユーザによって操作されることにより（ＵＩ２３における表示画面をユーザが触ることにより）、印刷パラメータの設定が行われる。具体的には、矩形状に形成された複数の領域であって格子状に並んだ複数の領域の何れかがユーザにより押圧（選択）される。これにより、プルダウン形式の表示がなされ、複数の選択肢が表示される。そして、この複数の選択肢の中の一つがユーザにより選択されることで、印刷パラメータの設定（変更）がなされる。
【００３６】
より具体的に説明すると、例えば、図４における「図」に対する操作を行うことで、ユーザは、例えば、「図」を「印刷するか／否か」の設定や、「図」を「カラー／モノクロ」の何れで印刷するか否かの設定や、１ページ当たりに含ませる「図」の数についての設定や、「図」の画像形成を行うときの「解像度」についての設定や、「図」の画像形成を行う用紙の紙質についての設定を行うことができる。
【００３７】
なお、本実施形態では、上記ステップ１０２にて説明したように、印刷パラメータの設定がなされた後に、プレビュー表示が行われるが、このプレビュー表示は、例えば、図４における「プレビュー表示」という押圧ボタンがユーザにより押圧されることで行われる。付言すると、上記ステップ１０２への移行は、図４における「プレビュー表示」という押圧ボタンがユーザにより押圧されることで行われる。
【００３８】
図５は、ステップ１０２にて行われるプレビュー表示における表示画面の一例を示した図である。
上記にて説明したように、本実施形態では、印刷パラメータの設定が行われた後、原稿画像データに基づく表示がＵＩ２３上にて行われるが、この際、ユーザにより設定された印刷パラメータが反映されたうえで表示が行われる。
【００３９】
ここで、図５に示す例では、「章」については、印刷パラメータが、「モノクロ」、「４イン１」、「２００ｄｐｉ」に設定されている。また、「章」を構成する「パラグラフ」については、印刷パラメータが、「モノクロ」、「２イン１」、「２００ｄｐｉ」に設定されている。さらに、「表」については、印刷パラメータが、「モノクロ」、「１イン１」、「４００ｄｐｉ」、「普通紙」に設定されている。また、「イメージ」については、印刷パラメータが、「カラー」、「２イン１」、「４００ｄｐｉ」、「普通紙」に設定されている。
【００４０】
なお、図５におけるこの表示画面では、画面右下に、個々のコンテンツ毎に印刷パラメータの変更をユーザが行いたいときにユーザにより押圧される押圧ボタン（図中「個別の印刷設定」と表示）が表示されており、この押圧ボタンが押圧されると、上記にて説明したステップ１０５の処理に進むようになっている。
【００４１】
また、図５における表示画面では、画面右下に、コンテンツの種別毎の印刷パラメータの変更（再設定）をユーザが希望する場合にユーザにより押圧される押圧ボタン（図中「コンテンツ種別の印刷設定」と表示）が表示されており、この押圧ボタンが押圧されると、上記にて説明したステップ１０１、ステップ１０２の処理が再度実行されるようになっている。
【００４２】
図６は、個々のコンテンツ毎に印刷パラメータがユーザにより設定される際にＵＩ２３に表示される表示画面の一例を示した図である。付言すると、上記ステップ１０５の処理がなされる際にＵＩ２３上に表示される表示画面の一例を示した図である。
【００４３】
個々のコンテンツ毎に印刷パラメータが設定される際には、図６に示すマトリックス状の表がＵＩ２３に表示される。ここで、この表では、図中左欄に、各コンテンツが順次下方向に向かって並ぶように表示される。付言すると、コンテンツ識別制御部２８が原稿画像データを解析することにより把握された複数のコンテンツが、図中下方向に並べられた状態で表示される。
【００４４】
また、個々のコンテンツ毎に印刷パラメータが設定される際には、上記と同様、複数の印刷パラメータが横軸方向に並んだ状態で表示される。そして、上記ステップ１０５の処理がなされる際には（コンテンツ毎に個別に印刷パラメータが設定される際には）、上記と同様、矩形状に形成された複数の領域であって格子状に並んだ複数の領域の何れかがユーザにより押圧（選択）される。これにより、プルダウン形式の表示がなされ、複数の選択肢が表示される。そして、この複数の選択肢の中の一つがユーザにより選択されることで、印刷パラメータの設定（変更）がなされる。
【００４５】
なお、図６に示す例では、文書の中の「第３章」の部分（文章中に含まれる複数の章のうちの第３章の部分）、文章中の「１２３…」の部分（文章中に含まれる複数のパラグラフのうちの「１２３…」で始まるパラグラフの部分）、文章中に含まれる「円グラフ」の部分、文書中に含まれるイメージであって植物を表したイメージの部分の印刷パラメータを変更することができるようになっている。
【００４６】
さらに説明すると、本実施形態では、「章」単位、「パラグラフ」単位、「表」単位、「イメージ」単位などで、印刷パラメータを変更することができるようになっており、図６に示す例では、「章」の一部、「パラグラフ」の一部、「表」の一部、「イメージ」の一部が表示され、これらの印刷パラメータを変更できるようになっている。
【００４７】
なお、図６に示す表示画面では、表示画面の右下に、プレビュー表示をユーザが希望する場合にユーザにより押圧される表示ボタン（図中、「プレビュー表示」と表示）が表示されている。そして、この表示ボタンがユーザにより押圧されると、上記にて説明したステップ１０２の処理がなされ、プレビュー表示が再度行われるようになる。付言すると、ＵＩ２３に、図７（プレビュー表示における表示例を示した図）の画面が表示されるようになる。
【００４８】
また、図６に示す表示画面では、表示画面の右下に、コンテンツの種別毎の印刷パラメータの変更（再変更）をユーザが希望する場合にユーザにより押圧される押圧ボタン（図中、「コンテンツ種別の印刷設定」と表示）も表示されている。そして、この表示ボタンが押圧された場合は、上記にて説明したステップ１０１の処理が再度実行される。付言すると、図４にて示した画面が再度表示される。これにより、ユーザは、個別の印刷パラメータの設定を中止し、コンテンツの種別毎での且つ一括での印刷パラメータの設定を再度行えるようになる。
【００４９】
次に、図７にて示すプレビュー表示について説明する。
図７にて示すプレビュー表示では、図５にて示したプレビュー表示と同様の表示が行われる。但し、ユーザにより再変更（再設定）が行われた印刷パラメータ（コンテンツ毎に且つ個別に設定された印刷パラメータ）については、印刷パラメータの再変更がなされたことを明確にするため、図７に示すように、印刷パラメータが変更された旨の表示がなされる。
【００５０】
付言すると、本実施形態では、コンテンツ毎の且つ個別のユーザによる印刷パラメータの設定によって、コンテンツの種別毎に且つ一括で設定された印刷パラメータの一部が変更されることがあるが、このような場合に、本実施形態では、この変更についての情報が、通知手段として機能するＵＩ２３によってユーザへ通知される。これにより、ユーザは、自身が行った印刷パラメータの変更を認識しやすくなる。
【００５１】
なお、図７に示すプレビュー表示を行う際、ユーザが個別に印刷パラメータを変更したコンテンツについては、拡大して表示することも好ましい。例えば、ユーザが、「図１」（不図示）についての印刷パラメータを変更した場合、この「図１」を拡大して表示することも好ましい。この場合、ユーザは、自身が行った印刷パラメータの変更をさらに認識しやすくなる。
【００５２】
なお、図７における表示画面では、画面右下に、コンテンツの種別毎の且つ一括での印刷パラメータの変更を行うか否かの問い合わせに用いられる押圧ボタン（図中、「コンテンツ種別の印刷設定」と表示）が表示されている。そして、この押圧ボタンがユーザにより押圧された場合、本実施形態では、上記にて説明したステップ１０１の処理が再度行われるようになっている。
【００５３】
また、図７における表示画面では、画面右下に、個々のコンテンツ毎の印刷パラメータの変更を行うか否かの問い合わせに用いられる押圧ボタン（図中、「個別の印刷設定」と表示）が表示されている。そして、この押圧ボタンが押圧された場合、本実施形態では、上記にて説明したステップ１０５の処理が行われ、図６にて示した画面が再度表示されるようになる。
【００５４】
なお、上記では、画像形成装置２０にて行われる処理を説明したが、上記にて説明した各処理は、端末装置１０にて行うようにしてもよい。具体的には、端末装置１０をユーザが操作し、画像データ（文書データ）に含まれるコンテンツの種別毎に、ユーザが印刷パラメータを一括で設定し、また、コンテンツ毎に個別に、ユーザが印刷パラメータを設定する。そして、印刷パラメータの設定が行われた後の画像データを端末装置１０から画像形成装置２０へ送信し、画像形成装置２０にて、印刷処理を実行する。
【００５５】
なお、上記にて説明した処理を実現するためのプログラムは、端末装置１０や画像形成装置２０を顧客やユーザに対して提供する際に、装置の中にインストールされた状態にて提供される場合の他、プログラムをコンピュータが読取可能に記憶した記憶媒体等にて提供する形態が考えられる。この記憶媒体としては、例えばＣＤ−ＲＯＭ媒体等が該当し、ＣＤ−ＲＯＭ読取装置（図示せず）等によってプログラムが読み取られることでこのプログラムが実行されるようになる。また、上記プログラムは、例えばプログラム伝送装置（図示せず）によってネットワークを介して提供される場合もある。
【符号の説明】
【００５６】
２０…画像形成装置、２２…画像読み取り装置、２３…ＵＩ、２６…印刷パラメータ制御部、２７…プレビュー表示制御部
【図１】
2014075054.tif 000003
【図２】
2014075054.tif 000004
【図３】
2014075054.tif 000005
【図４】
2014075054.tif 000006
【図５】
2014075054.tif 000007
【図６】
2014075054.tif 000008
【図７】
2014075054.tif 000009